(57)【要約】【課題】落ち葉等の堆積を抑制し、これによって、樋材による雨水の集水性能が損なわれることを防ぐことが可能な屋根構造を提供することを目的とする。【解決手段】屋根１の上面に複数の屋根材５…，６…を設け、樋材２０，２０Ａ，２０Ｂの上部に、上部開口部２５ｃを覆う樋カバー材３０Ａ，３０Ｂ，３０Ｃ，３０Ｄが、樋材２０，２０Ａ，２０Ｂの延在方向に沿って連続的に、かつ段差のない状態で設け、複数の屋根材５…，６…のうち、屋根１の外周端部に沿って並設される複数の屋根材５…，６…を、これら複数の屋根材５…，６…の樋材側端部が、樋カバー材３０Ａ，３０Ｂ，３０Ｃ，３０Ｄの屋根側端部の直上位置に張り出すようにして設ける。【選択図】図３
2014015721.tif 000002
【特許請求の範囲】
【請求項１】
軒先部とケラバ部とを有する勾配屋根のうち、連続する軒先側端面とケラバ側端面とからなる屋根の外周端面に沿って、上部が開口した樋材が連続的に複数取り付けられてなる屋根構造において、
前記屋根の上面には複数の屋根材が設けられており、
前記樋材の上部には、複数の排水孔を備えるとともに前記樋材の上部開口部を覆う樋カバー材が、前記樋材の延在方向に沿って連続的に、かつ段差のない状態で設けられており、
前記複数の屋根材のうち、前記屋根の外周端部に沿って並設される複数の屋根材は、これら複数の屋根材の樋材側端部が、前記樋カバー材の屋根側端部の直上位置に張り出すようにして設けられていることを特徴とする屋根構造。
【請求項２】
請求項１に記載の屋根構造において、
前記軒先側端面と前記ケラバ側端面とが交差する前記外周端面のコーナー部には、平面視略Ｌ字状に形成されたコーナー用樋材が取り付けられており、
前記コーナー用樋材は、前記樋材と同一断面の樋材の接合側端部を、平面視において同一角度で斜めカットしたもの同士を接合することによって構成されており、
前記樋カバー材は、前記コーナー用樋材の上面に、このコーナー用樋材に沿って連続的に、かつ段差のない状態で設けられていることを特徴とする屋根構造。
【請求項３】
請求項１または２に記載の屋根構造において、
前記複数の屋根材のうち、前記屋根のケラバ側端部に沿って並設される複数の屋根材は、該屋根材の上面を構成する上面部と、この屋根材の側面を構成し、かつ上端部が前記上面部のケラバ側端部と一体形成される側壁部と、を備えており、
前記側壁部の下端部は、前記樋カバー材の屋根側端部の上面に近接配置されていることを特徴とする屋根構造。
【請求項４】
請求項１〜３のいずれか一項に記載の屋根構造において、
前記樋材は、前記樋カバー材が固定される被固定部を有し、かつ前記上部開口部を含んで構成される上面部を備えており、
前記樋カバー材は、前記樋材の上面部と同一直線上に配置される上面部を備えることを特徴とする屋根構造。
【請求項５】
請求項４に記載の屋根構造において、
前記樋材の上面部のうち前記上部開口部よりも外部側に位置する部位と、前記樋カバー材の上面部の外部側端部との間には、排水用の溝部が、前記樋材および前記樋カバー材の延在方向に沿って形成されていることを特徴とする屋根構造。
【発明の詳細な説明】
【技術分野】
【０００１】
本発明は、軒先部とケラバ部とを有する勾配屋根の外周端面に沿って、上部が開口した樋材が連続的に複数取り付けられてなる屋根構造に関する。
【背景技術】
【０００２】
従来、例えば切妻屋根の外周端面、すなわち軒先側からケラバ側に連続して、同一断面形状の樋材を取り付ける技術が知られている（例えば、特許文献１参照）。
このように軒先側からケラバ側にかけて同一断面形状の樋材を取り付けることで、部品の共通化を図ることができるので、コストを削減や外観の連続性を得ることができる。
【０００３】
また、従来、樋の上部開口部を覆うようにして取り付けられるとともに多数の通水孔を有し、水を通過させながら内側に落ち葉や雪、ゴミ等が入ることを防ぐ樋カバー材についての技術が知られている（例えば、特許文献２参照）。
【先行技術文献】
【特許文献】
【０００４】
【特許文献１】特開２００８−２３１６６５号公報
【特許文献２】特開平１１−００６２５８号公報
【発明の概要】
【発明が解決しようとする課題】
【０００５】
ところで、特許文献１に記載のように屋根のケラバ側端面に樋材を取り付けた場合、このケラバ側の樋材にも、特許文献２に記載のような樋カバー材を取り付けたいという要望がある。樋カバー材を、ケラバ側の樋材を含む屋根の外周に沿って連続的に設けるに当たって、例えば、隣り合う樋カバー材間に段差があったり、軒先側の樋カバー材とケラバ側の樋カバー材との間に高低差があったりすると、樋カバー材の上面に落ち葉等が堆積する場合があり、樋材によって雨水の集水を行う上では好ましくない。
【０００６】
本発明の課題は、落ち葉等の堆積を抑制し、これによって、樋材による雨水の集水性能が損なわれることを防ぐことが可能な屋根構造を提供することを目的とする。
【課題を解決するための手段】
【０００７】
請求項１に記載の発明は、例えば図１〜図７に示すように、軒先部２とケラバ部３とを有する勾配屋根１のうち、連続する軒先側端面４ａとケラバ側端面４ｂとからなる屋根１の外周端面４に沿って、上部が開口した樋材２０（２０Ａ，２０Ｂ）が連続的に複数取り付けられてなる屋根構造において、
前記屋根１の上面には複数の屋根材５…，６…が設けられており、
前記樋材２０（２０Ａ，２０Ｂ）の上部には、複数の排水孔３１ａ…を備えるとともに前記樋材２０（２０Ａ，２０Ｂ）の上部開口部２５ｃを覆う樋カバー材３０（３０Ａ，３０Ｂ，３０Ｃ，３０Ｄ）が、前記樋材２０（２０Ａ，２０Ｂ）の延在方向に沿って連続的に、かつ段差のない状態で設けられており、
前記複数の屋根材５…，６…のうち、前記屋根１の外周端部に沿って並設される複数の屋根材５…，６…は、これら複数の屋根材５…，６…の樋材側端部が、前記樋カバー材３０（３０Ａ，３０Ｂ，３０Ｃ，３０Ｄ）の屋根側端部の直上位置に張り出すようにして設けられていることを特徴とする。
【０００８】
請求項１に記載の発明によれば、前記屋根１の外周端部に沿って並設される複数の屋根材５…，６…上を流れる雨水を、前記軒先部２側の樋材２０および前記ケラバ部３側の樋材２０の双方に落とすことができる。また、前記樋カバー材３０（３０Ａ，３０Ｂ，３０Ｃ，３０Ｄ）は、前記樋材２０（２０Ａ，２０Ｂ）の延在方向に沿って連続的に、かつ段差なく設けられているので、落ち葉等が前記樋カバー材３０（３０Ａ，３０Ｂ，３０Ｃ，３０Ｄ）上を風に乗って移動しやすく、前記樋カバー材３０（３０Ａ，３０Ｂ，３０Ｃ，３０Ｄ）上における落ち葉等の堆積を抑制できる。さらに、前記複数の屋根材５…，６…の樋材側端部が、前記樋カバー材３０（３０Ａ，３０Ｂ，３０Ｃ，３０Ｄ）の屋根側端部の直上位置に張り出すようにして設けられているので、前記複数の屋根材５…，６…上からの雨水を、前記樋カバー材３０（３０Ａ，３０Ｂ，３０Ｃ，３０Ｄ）の上面に確実に落とすことができる。これによって、前記樋材２０（２０Ａ，２０Ｂ）による雨水の集水性能が損なわれることを防ぐことが可能となる。
【０００９】
請求項２に記載の発明は、例えば図１〜図７に示すように、請求項１に記載の屋根構造において、
前記軒先側端面４ａと前記ケラバ側端面４ｂとが交差する前記外周端面４のコーナー部には、平面視略Ｌ字状に形成されたコーナー用樋材２０Ａ（２０Ｂ）が取り付けられており、
前記コーナー用樋材２０Ａ（２０Ｂ）は、前記樋材２０と同一断面の樋材２０の接合側端部を、平面視において同一角度Ｂで斜めカットしたもの同士を接合することによって構成されており、
前記樋カバー材３０Ｃ（３０Ｄ）は、前記コーナー用樋材２０Ａ（２０Ｂ）の上面に、このコーナー用樋材２０Ａ（２０Ｂ）に沿って連続的に、かつ段差のない状態で設けられていることを特徴とする。
【００１０】
請求項２に記載の発明によれば、前記樋カバー材３０Ｃ（３０Ｄ）は、前記コーナー用樋材２０Ａ（２０Ｂ）の上面に、該コーナー用樋材２０Ａ（２０Ｂ）に沿って連続的に、かつ段差のない状態で設けられているので、落ち葉等が前記樋カバー材３０Ｃ（３０Ｄ）上を風に乗って移動しやすく、特に前記コーナー部の前記樋カバー材３０Ｃ（３０Ｄ）上における落ち葉等の堆積を抑制できる。
【００１１】
請求項３に記載の発明は、例えば図１〜図３に示すように、請求項１または２に記載の屋根構造において、
前記複数の屋根材５…，６…のうち、前記屋根１のケラバ側端部に沿って並設される複数の屋根材５…は、該屋根材５の上面を構成する上面部５ａと、この屋根材５の側面を構成し、かつ上端部が前記上面部５ａのケラバ側端部と一体形成される側壁部５ｂと、を備えており、
前記側壁部５ｂの下端部は、前記樋カバー材３０（３０Ｂ，３０Ｃ，３０Ｄ）の屋根側端部の上面に近接配置されていることを特徴とする。
【００１２】
請求項３に記載の発明によれば、前記側壁部５ｂの下端部は、前記樋カバー材３０（３０Ｂ，３０Ｃ，３０Ｄ）の屋根側端部の上面に近接配置されているので、前記複数の屋根材５…の上面部５ａを流れる雨水を、前記側壁部５ｂを伝わせて、前記樋カバー材３０（３０Ｂ，３０Ｃ，３０Ｄ）の上面へと確実に落とすことができる。
【００１３】
請求項４に記載の発明は、例えば図１〜図３に示すように、請求項１〜３のいずれか一項に記載の屋根構造において、
前記樋材２０（２０Ａ，２０Ｂ）は、前記樋カバー材３０（３０Ａ，３０Ｂ，３０Ｃ，３０Ｄ）が固定される被固定部２５ｄ，２５ｅを有し、かつ前記上部開口部２５ｃを含んで構成される上面部２５を備えており、
前記樋カバー材３０（３０Ａ，３０Ｂ，３０Ｃ，３０Ｄ）は、前記樋材２０（２０Ａ，２０Ｂ）の上面部２５と同一直線上に配置される上面部３１を備えることを特徴とする。
【００１４】
請求項４に記載の発明によれば、前記樋カバー材３０（３０Ａ，３０Ｂ，３０Ｃ，３０Ｄ）は、前記樋材２０（２０Ａ，２０Ｂ）の上面部２５と同一直線上に配置される上面部３１を備えるので、前記樋材２０（２０Ａ，２０Ｂ）から前記樋カバー材３０（３０Ａ，３０Ｂ，３０Ｃ，３０Ｄ）にかけて比較的平たんな状態となり、前記上面部２５および前記上面部３１上における落ち葉等の堆積を抑制できる。
【００１５】
請求項５に記載の発明は、例えば図１〜図３に示すように、請求項４に記載の屋根構造において、
前記樋材２０（２０Ａ，２０Ｂ）の上面部２５のうち前記上部開口部２５ｃよりも外部側に位置する部位２５ｂと、前記樋カバー材３０（３０Ａ，３０Ｂ，３０Ｃ，３０Ｄ）の上面部３１の外部側端部との間には、排水用の溝部Ｇが、前記樋材２０（２０Ａ，２０Ｂ）および前記樋カバー材３０（３０Ａ，３０Ｂ，３０Ｃ，３０Ｄ）の延在方向に沿って形成されていることを特徴とする。
【００１６】
請求項５に記載の発明によれば、前記複数の屋根材５…，６…上から前記樋材２０（２０Ａ，２０Ｂ）側に至る雨水の量が多く、前記樋カバー材３０（３０Ａ，３０Ｂ，３０Ｃ，３０Ｄ）上を流れるような場合であっても、雨水を、前記排水用の溝部Ｇに落とすことができるので、前記樋材２０（２０Ａ，２０Ｂ）の集水性能を向上できる。
また、前記ケラバ部３側の溝部Ｇは、前記屋根１の勾配に沿って直線状に形成されることになるので、落ち葉等の堆積をさらに抑制できる。
また、前記溝部Ｇが形成される箇所は、前記樋材２０（２０Ａ，２０Ｂ）のうち最も外側に位置する部分に該当するため、該溝部Ｇに万が一落ち葉等が堆積したとしても、前記樋材２０（２０Ａ，２０Ｂ）の集水性能が損なわれにくい。
【発明の効果】
【００１７】
本発明によれば、樋カバー材上における落ち葉等の堆積を抑制し、これによって、樋材による雨水の集水性能が損なわれることを防ぐことが可能となる。
【図面の簡単な説明】
【００１８】
【図１】本発明に係る屋根構造のうち軒先部を示す断面図である。
【図２】同、ケラバ部を示す断面図である。
【図３】同、コーナー部の概略を示す斜視図である。
【図４】同、底面図である。
【図５】樋材を示す斜視図である。
【図６】同、断面図である。
【図７】樋カバー材を示す斜視図である。
【発明を実施するための形態】
【００１９】
以下、図面を参照して本発明の実施の形態について説明する。
なお、本実施の形態の屋根および該屋根が設けられる住宅等の建物は、該屋根や壁、床等の建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
また、このパネルとは、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２０】
本実施の形態の屋根構造は、図１〜図７に示すように、軒先部２とケラバ部３とを有する勾配屋根１のうち、連続する軒先側端面４ａとケラバ側端面４ｂとからなる屋根１の外周端面４に沿って、上部が開口した樋材２０（２０Ａ，２０Ｂ）が連続的に複数取り付けられてなる。
また、前記屋根１の上面には複数の屋根材５…，６…が設けられている。
また、前記樋材２０（２０Ａ，２０Ｂ）の上部には、複数の排水孔３１ａ…を備えるとともに前記樋材２０（２０Ａ，２０Ｂ）の上部開口部２５ｃを覆う樋カバー材３０（３０Ａ，３０Ｂ，３０Ｃ，３０Ｄ）が、前記樋材２０（２０Ａ，２０Ｂ）の延在方向に沿って連続的に、かつ段差のない状態で設けられている。このような樋カバー材３０（３０Ａ，３０Ｂ，３０Ｃ，３０Ｄ）によって落ち葉等が前記樋材２０（２０Ａ，２０Ｂ）の内部に侵入することを防ぐことができる。
そして、前記複数の屋根材５…，６…のうち、前記屋根１の外周端部に沿って並設される複数の屋根材５…，６…は、これら複数の屋根材５…，６…の樋材側端部が、前記樋カバー材３０（３０Ａ，３０Ｂ，３０Ｃ，３０Ｄ）の屋根側端部の直上位置に張り出すようにして設けられている。
【００２１】
また、前記屋根１の外周端面４と前記樋材２０（２０Ａ，２０Ｂ）との間には、図１，図２，図４に示すように、前記樋材２０（２０Ａ，２０Ｂ）の延在方向に沿って連続的に設けられ、後述する屋根裏空間１３と外部とを通気可能に連通する鼻隠し部材４０が介在している。
【００２２】
＜屋根の構成＞
前記屋根１は、上述のように建築用パネルで構成された屋根パネルである。この屋根パネルは、パネルの矩形枠を形成する縦横の框材１ａ，１ａと、矩形枠の内部に縦横に組み付けられる桟材１ｂ，１ｂと、これら框材１ａおよび桟材１ｂの上面に貼設される面材１ｃとを備える。
前記框材１ａのうち、前記屋根１の勾配方向に沿って配置されるものは垂木として機能することになる。また、前記桟材１ｂのうち、該垂木としての框材１ａと平行かつ離間して配置されるものも同様に垂木として機能する。
また、前記框材１ａのうち、前記垂木として機能する前記框材１ａと前記桟材１ｂの軒先側端面に、該框材１ａおよび桟材１ｂと直交して配置されるものは鼻隠し板として機能する。また、前記桟材１ｂのうち、該鼻隠し板としての框材１ａと平行かつ離間して配置されるものは桁材として機能する。
さらに、前記面材１ｃは、後述する複数の屋根材５…，６…が葺設される野地板として機能することになる。
【００２３】
また、本実施の形態の屋根１は例えば切妻屋根であり、前記軒先部２側の端部が、建物の平側の外壁１７から離間した位置に配置されており、軒の出がある状態となっている。一方、前記ケラバ部３側の端部は、建物の妻側の外壁１５近傍に配置されており、ケラバの出がほとんどない状態となっている。
なお、本実施の形態の屋根１は切妻屋根としたが、これに限定されるものではなく、前記軒先部２および前記ケラバ部３を備える形態の屋根であれば良い。
【００２４】
前記鼻隠し板としての框材１ａの下面には、図１に示すように、該框材１ａの長さ方向に間隔をあけて複数の切欠部Ｈが形成されている。そして、該切欠部Ｈを介して通気が可能となっており、前記框材１ａの外部側と、該框材１ａの内部側である屋根裏空間１３とが連通された状態となっている。
【００２５】
また、前記鼻隠し板としての框材１ａのうち、前記屋根１の勾配方向下方に位置する外側面には、前記切欠部Ｈを避けて、前記屋根１の勾配角度を考慮して形成された一対の調整材１ｄ，１ｄが取り付けられている。
前記一対の調整材１ｄ，１ｄは、双方ともに同一の断面台形状に形成されており、一方の調整材１ｄが前記框材１ａに固定されている。また、他方の調整材１ｄが、前記一方の調整材１ｄに対して、該一方の調整材１ｄとは天地を逆にした状態で固定されている。
【００２６】
前記一方の調整材１ｄのうち、前記屋根１の勾配方向下方に位置する面は鉛直面１ｅとされている。該鉛直面１ｅには、前記鼻隠し部材４０が固定される。すなわち、前記一対の調整材１ｄ，１ｄ間に、前記鼻隠し部材４０が挟み込まれた状態となる。
また、前記他方の調整材１ｄのうち、前記屋根１の勾配方向下方に位置する面は、前記樋材２０（２０Ａ，２０Ｂ）が取り付けられる被取付面１ｆとされている。
前記一対の調整材１ｄ，１ｄの断面形状を適宜変更することによって、例えば１／１や１／１．５、１／２・・・等、様々な勾配角度に設定された屋根でもそれぞれの軒先側端部に前記鉛直面１ｅを形成できる。なお、本実施の形態の屋根１は１／２勾配に設定されている。
【００２７】
前記屋根１の外周端面４は、上述のように軒先側端面４ａとケラバ側端面４ｂとからなる。本実施の形態において前記軒先側端面４ａは、前記一方の調整材１ｄが取り付けられる前記鼻隠し板としての框材１ａの側面を指している。また、前記ケラバ側端面４ｂは、前記垂木としての框材１ａの側面と、前記面材１ｃの側端面とを指している。
したがって、前記屋根１の軒先側端部においては、前記樋材２０（２０Ａ，２０Ｂ）の前記屋根側面部２１は、前記一対の調整材１ｄ，１ｄを介して、前記鼻隠し板としての框材１ａの側面（すなわち、前記軒先側端面４ａ）に固定されることになる。つまり、前記一対の調整材１ｄ，１ｄは、前記屋根１の延長部として設けられるものであり、前記屋根１は、これら一対の調整材１ｄ，１ｄを含んで構成されているものとする。
図示はしないが、換言すれば、前記屋根１を、前記一対の調整材１ｄ，１ｄを使用せずに、所定長さ分延長させたり、適宜加工したりするなどして該一対の調整材１ｄ，１ｄ同様の機能を持たせようにしてもよいものとする。
一方、前記屋根１のケラバ側端部においては、前記樋材２０（２０Ａ，２０Ｂ）の前記屋根側面部２１は、前記ケラバ側端面４ｂである前記垂木としての框材１ａの側面と前記面材１ｃの側端面に固定されることになる。
【００２８】
なお、前記軒先側端面４ａおよび前記被取付面１ｆは、前記屋根１の勾配角度に対して直交する角度に設定された面とされている。つまり、前記屋根１の勾配角度に対する前記軒先側端面４ａおよび前記被取付面１ｆの角度は９０度に設定され、該軒先側端面４ａおよび被取付面１ｆは、上端部に向かって迫り上がるようにして斜めに配置されている。
一方の前記ケラバ側端面４ｂは、前記框材１ａの側面と前記面材１ｃの側端面とが面一な状態の鉛直面とされている。
【００２９】
また、前記屋根１の外周端面４は、前記軒先側端面４ａと前記ケラバ側端面４ｂとが交差するコーナー部を有する。
該コーナー部としては、前記軒先側端面４ａと前記ケラバ側端面４ｂとが出隅状に交差する出隅コーナー部と、前記軒先側端面４ａと前記ケラバ側端面４ｂとが入隅状に交差する入隅コーナー部とがある。
【００３０】
前記屋根１の面材１ｃの上面には、図１〜図３に示すように、前記屋根１の勾配方向および該屋根１の勾配方向と直交する方向に沿って、前記複数の屋根材５…，６…が葺設されている。
なお、本実施の形態の屋根材５…，６…は、例えば粘土や陶器等の瓦が採用されているが、これに限られるものではなく、例えばスレートや金属製の屋根材等であってもよい。
【００３１】
前記屋根材５は、前記屋根１の勾配方向に、かつ該屋根１のケラバ側端部に沿って複数並設されるものである。そして、この屋根材５は、上面を構成する上面部５ａと、該屋根材５を構成し、かつ上端部が前記上面部５ａのケラバ側端部と一体形成される側壁部５ｂと、を備える。さらに、この屋根材５は、該屋根材５の傾斜方向に沿って配置されるとともに前記上面部５ａの裏面に一体形成される複数の突条部５ｃ，５ｃと、これら複数の突条部５ｃ，５ｃのうち屋根材５の傾斜方向上端部に一体形成されるとともに後述する屋根材用桟材８に引っ掛けられる引掛部５ｄ，５ｄと、を備える。
前記屋根材６は、前記側壁部５ｂを除き、前記屋根材５と略同様に形成されている。すなわち、前記屋根材６は、前記ケラバ部３に配置されるものではないため、前記側壁部５ｂは具備されない。
【００３２】
さらに、前記屋根１の勾配方向と直交するに隣接する前記屋根材５，６（６，６）同士は、隣接する側端部の凹凸嵌合部５ｅ，６ｅ同士が凹凸嵌合することによって連結されている。
また、前記屋根１の勾配方向に隣接する屋根材５，５（６，６）同士のうち、勾配方向上方に位置する屋根材５（６）の突条部５ｃ，５ｃと、勾配方向下方に位置する屋根材５（６）の上面部５ａとの間には水密材７が設けられている。
【００３３】
また、前記屋根１の面材１ｃの上面には、前記屋根材５…，６…の引掛部５ｄが引っ掛けられる複数の前記屋根材用桟材８…が、前記鼻隠し板としての框材１ａと平行に配置され、かつ勾配方向に間隔をあけて固定されている。
また、前記他方の調整材１ｄの上面には、前記屋根１の勾配方向と直交する方向に沿って、軒先側桟材１０が固定されている。この軒先側桟材１０上には、前記屋根１の軒先側端部に沿って並設される複数の屋根材５…，６…のうち、前記突条部５ｃ，５ｃの傾斜方向下端部が載置されている。つまり、前記屋根１の軒先側端部に沿って並設される複数の屋根材５…，６…の傾斜方向下端部が、前記軒先側桟材１０によって支持されている。
なお、前記軒先側桟材１０と前記他方の調整材１ｄとの間には、前記屋根１の上面から前記樋材２０の上部開口部２５ｃにかけて配置される水切り部材９が介在した状態となっている。つまり、前記軒先側桟材１０は、前記水切り部材９を釘５１等で固定した後に、前記他方の調整材１ｄ上に固定される。
【００３４】
また、前記屋根１の軒先側端部と前記建物の外壁１７との間には軒天井材１１が水平に架設されている。
さらに、前記軒天井材１１の上面には野縁１１ａが取り付けられており、該野縁１１ａは、前記垂木としての框材１ａまたは桟材１ｂに取り付けられた吊木１１ｂによって、該框材１ａまたは桟材１ｂに対して吊られている。
また、前記屋根裏空間１３は、前記屋根１と前記軒天井材１１との間の空間と、前記外壁１７よりも建物中央側に位置する屋根１の下方空間とを指している。
なお、前記屋根裏空間１３を構成する該空間同士は、図１，図２に示すように、前記垂木としての框材１ａおよび桟材１ｂの下面と、前記面材１ｃとの高低差により生じる空間部を利用して連通された状態となっている。つまり、前記垂木としての框材１ａおよび桟材１ｂは、前記外壁１７の上端部によって支持された状態となっている。
【００３５】
＜樋材の構成＞
前記樋材２０（２０Ａ，２０Ｂ）は、図１〜図６に示すように、上述のように前記屋根側面部２１と、前記外部側面部２２と、前記底面部２３とを主体として構成された長尺物であり、上部には、雨水を流れこませるために前記上部開口部２５ｃが形成された状態となっている。また、前記樋材２０（２０Ａ，２０Ｂ）は、本実施の形態においては金属製であるが、これに限定されるものではなく、樹脂製等でも良い。
さらに、前記樋材２０（２０Ａ，２０Ｂ）は、前記屋根側面部２１の上端部に一体形成されるとともに、該屋根側面部２１よりも屋根１側に延出する延出部２４を備える。
また、前記樋材２０（２０Ａ，２０Ｂ）は、前記上部開口部２５ｃを含んで構成される上面部２５を備える。
【００３６】
なお、本実施の形態においては、図５に示すように、前記屋根１の外周端面４のうち、前記軒先側端面４ａまたは前記ケラバ側端面４ｂの直線部分（コーナー部ではない部分）に取り付けられるものは樋材２０と称する。さらに、前記外周端面４の前記出隅コーナー部に取り付けられるものはコーナー用樋材２０Ａと称し、前記入隅コーナー部に取り付けられるものはコーナー用樋材２０Ｂと称する。また、前記コーナー用樋材２０Ａ，２０Ｂは、平面視略Ｌ字状に形成されている。
ただし、いずれの形態の樋材２０，２０Ａ，２０Ｂであっても、その断面形状は、図６に示すように同一とされている。つまり、前記コーナー用樋材２０Ａ，２０Ｂは、二つの同一断面の前記樋材２０，２０同士が接合されることによって形成されている。より詳細には、前記コーナー用樋材２０Ａ，２０Ｂは、前記二つの樋材２０，２０の接合側端部を、平面視（または底面視）において同一角度Ｂで斜めカットしたもの同士を接合することによって構成されている。また、これら樋材２０，２０同士の接合部２６には、稜線２６ａが現れる。
なお、前記角度Ｂは、本実施の形態においては４５度に設定されている。したがって、前記コーナー用樋材２０Ａ，２０Ｂは、平面視において直角に形成されている。
【００３７】
前記屋根側面部２１は、上述のように、前記屋根１の外周端面４に固定されるものである。より詳細には、前記軒先部２においては、図１，図６に示すように、前記被取付面１ｆに当接固定されるものである。また、前記ケラバ部３においては、図２，図６に示すように、前記垂木としての前記框材１ａの側面および前記面材１ｃの側端面に当接固定されるものである。
この屋根側面部２１は、断面視において略Ｌ字状に形成されるとともに前記被取付面１ｆに対して山型に突出する取付部２１ａを有する。なお、該取付部２１ａは、前記屋根側面部２１の下端部に一体形成されている。
前記取付部２１ａを構成する二つの面のうち、上側の面にはビス孔（図示せず）が形成されており、ビス５０を、該ビス孔から斜めに前記被取付面１ｆに対してねじ込むことによって、前記屋根側面部２１を前記被取付面１ｆに固定できるようになっている。
【００３８】
前記外部側面部２２は、上述のように、前記屋根側面部２１と平行に、かつ外部側に離間して配置されるものである。つまり、該外部側面部２２と前記屋根側面部２１とは、図６に示すように、側断面視において等しい角度に設定されている。
また、上述のように、前記第一底面部２３ａに対する該外部側面部２２の角度Ａは、屋根勾配プラス９０度に設定されている。本実施の形態の屋根１は１／２勾配であるため、具体的に前記角度Ａは、１１６．５７度となる。例えば前記屋根１が１／３勾配の場合には、前記角度Ａは、１０８．４３度となる。
【００３９】
前記底面部２３は、上述のように、前記屋根側面部２１および前記外部側面部２２の下端部間に架け渡されるようにして一体形成されるものである。さらに、該底面部２３は、上述のように前記第一底面部２３ａと前記第二底面部２３ｂとを有することによって断面略Ｌ字状の溝として形成されている。
なお、前記第一底面部２３ａと前記第二底面部２３ｂとは一体形成されており、前記第一底面部２３ａと前記第二底面部２３ｂとで構成される前記断面略Ｌ字状の溝の内側面は、図６に示すように、断面視において曲面とされている。
【００４０】
前記第一底面部２３ａは、前記外部側面部２２に対する角度Ａが、屋根勾配プラス９０度に設定されているため、前記樋材２０を前記軒先側端面４ａに固定した場合は、水平配置されることになる。
一方、前記樋材２０を前記ケラバ側端面４ｂに固定した場合は、前記ケラバ側端面４ｂは鉛直面であるため、前記第一底面部２３ａは、前記外部側面部２２に向かって迫り上がるようにして斜めに配置されることになる。
なお、前記第一底面部２３ａの屋根側端部から外部側端部までの長さは、前記屋根１の勾配に関わらず一定の長さに設定されている。
【００４１】
前記第二底面部２３ｂは、前記第一底面部２３ａに対する角度Ｄが９０度に設定されている。
また、前記第二底面部２３ｂの、前記第一底面部２３ａ側の端部から前記屋根側面部２１の前記取付部２１ａ側の端部までの長さは、前記屋根１の勾配角度に応じて製造段階で適宜変更される。つまり、前記屋根１の勾配角度が大きく（高く）なれば、これに応じて前記角度Ａも大きくなるため、その分、前記第一底面部２３ａ側の端部から前記屋根側面部２１の前記取付部２１ａ側の端部までの長さも長くなる。反対に、前記屋根１の勾配角度が小さく（低く）なれば、これに応じて前記角度Ａも小さくなるため、その分、前記第一底面部２３ａ側の端部から前記屋根側面部２１の前記取付部２１ａ側の端部までの長さも短くなる。
また、これに応じて、前記屋根側面部２１に対する該第二底面部２３ｂの角度も製造段階で適宜変更されることになる。
【００４２】
前記延出部２４は、図１，図２，図６に示すように、前記屋根側面部２１に対する角度Ｃが９０度に設定されており、前記屋根１の上面に固定されている。より詳細には、該延出部２４は、前記屋根１の軒先側端部においては前記他方の調整材１ｄに固定されており、前記屋根１のケラバ側端部においては前記面材１ｃおよび前記框材１ａに固定されている。
また、前記延出部２４にはビス孔（図示せず）が形成されており、ビス５０を、該ビス孔から前記屋根１の上面に対してねじ込むことによって、該延出部２４を前記屋根１の上面に固定できるようになっている。
したがって、前記延出部２４と前記屋根側面部２１とで、前記屋根１の外周端部を上方および側方から挟み込んだような状態となっている。
【００４３】
前記上面部２５は、図６に示すように、前記上部開口部２５ｃよりも前記屋根１側に位置し、前記屋根側面部２１の上端部および前記延出部２４に一体形成される部位２５ａと、前記上部開口部２５ｃよりも外部側に位置し、前記外部側面部２２の上端部に一体形成される部位２５ｂとを有する。前記上部開口部２５ｃは、これら一方の部位２５ａと他方の部位２５ｂとの間に形成されている。
また、前記一方の部位２５ａは、前記屋根側面部２１に対する角度は９０度に設定されており、前記他方の部位２５ｂは、前記外部側面部２２に対する角度は９０度に設定されている。
【００４４】
また、前記上面部２５は、前記上部開口部２５ｃを覆う樋カバー材３０（３０Ａ，３０Ｂ，３０Ｃ，３０Ｄ）が固定される被固定部２５ｄ，２５ｅを有する。一方の被固定部２５ｄは、前記上面部２５の一方の部位２５ａの下面に一体形成されており、他方の被固定部２５ｅは、前記上面部２５の他方の部位２５ｂの下面に一体形成されている。
前記被固定部２５ｄ，２５ｅのそれぞれは、前記上面部２５の下面から下方に向かって突出する突出板部と、該突出板部の下端部から前記上部開口部２５ｃ側に突出するとともに前記樋カバー材３０（３０Ａ，３０Ｂ，３０Ｃ，３０Ｄ）が固定される被固定板部とを備える。前記樋カバー材３０（３０Ａ，３０Ｂ，３０Ｃ，３０Ｄ）は、該被固定板部に対して、ビス５０で固定されている。
【００４５】
また、長さ方向に隣接する前記樋材２０，２０同士、前記樋材２０と前記コーナー用樋材２０Ａ（２０Ｂ）同士は、図５に示すように、連結部分の内周面に取り付けられる内継手としてのジョイナー２７を用いて連結されている。
なお、前記ジョイナー２７は、前記樋材２０の内周面形状に対応して形成されている。
また、前記ジョイナー２７と前記連結部分の内周面との間には、図示はしないが、該連結部分からの漏水を防ぐためのシール材が介在しているものとする。
【００４６】
以上のような樋材２０（２０Ａ，２０Ｂ）によれば、前記屋根側面部２１が前記屋根１の外周端面４に固定されることによって、前記外部側面部２２は、前記屋根１の外周端面４から外部側に離間して配置される。したがって、前記外部側面部２２は、前記屋根側面部２１に対して、前記屋根１の勾配方向下方に位置することになる。
また、前記外部側面部２２の下端部に前記第一底面部２３ａが一体形成され、前記第一底面部２３ａに対する前記外部側面部２２の角度Ａが屋根勾配プラス９０度に設定されているので、前記軒先側端面４ａに取り付けられる前記樋材２０の前記第一底面部２３ａは、図１に示すように、水平配置されることになる。
一方、前記樋材２０を前記ケラバ側端面４ｂに取り付けた際には、前記屋根側面部２１と前記外部側面部２２とが等しい高さに配置されることになるので、図２に示すように、前記第一底面部２３ａは、前記外部側面部２２に向かって迫り上がるようにして斜めに配置されることになる。
【００４７】
さらに、前記第一底面部２３ａに対する前記第二底面部２３ｂの角度Ｄは９０度に設定されているので、前記樋材２０が前記軒先側端面４ａに固定され、前記第一底面部２３ａが水平配置されることにより、前記第二底面部２３ｂは、鉛直方向に立ち上がるようにして配置されることになる。
また、前記樋材２０が前記ケラバ側端面４ｂに固定され、前記第一底面部２３ａが、前記外部側面部２２に向かって迫り上がるようにして斜めに配置されることにより、前記第二底面部２３ｂは、前記屋根側面部２１に向かって迫り上がるようにして斜めに配置されることになる。
【００４８】
＜樋カバー材の構成＞
前記樋カバー材３０は、図１〜図３，図７に示すように、前記軒先部２側の樋材２０に取り付けられるものを樋カバー材３０Ａと称し、前記ケラバ部３側の樋材２０に取り付けられるものを樋カバー材３０Ｂと称する。さらに、前記出隅コーナー部のコーナー用樋材２０Ａに取り付けられるものを樋カバー材３０Ｃと称し、前記入隅コーナー部のコーナー用樋材２０Ｂに取り付けられるものを樋カバー材３０Ｄと称する。
すなわち、前記樋カバー材３０Ａは、前記軒先側端面４ａの長さ方向に沿って長尺に、かつ直線状に形成されている。
また、前記樋カバー材３０Ｂは、前記ケラバ側端面４ｂの長さ方向に沿って長尺に、かつ直線状に形成されており、前記屋根１の勾配方向に応じ、傾斜して配置されている。
また、前記樋カバー材３０Ｃは、前記出隅コーナー部において、前記屋根１の軒先側端部からケラバ側端部にかけて平面視略Ｌ字状に形成されている。
また、前記樋カバー材３０Ｄは、前記入隅コーナー部において、前記屋根１のケラバ側端部から軒先側端部にかけて平面視略Ｌ字状に形成されている。
【００４９】
前記樋カバー材３０Ａ，３０Ｂ，３０Ｃ，３０Ｄは、図１，図３，図７に示すように、共通して、上面部３１を備える。
前記上面部３１は、前記樋材２０（２０Ａ，２０Ｂ）の上面部２５と同一直線上に配置されるものであり、該上面部３１を厚さ方向に貫通する前記複数の排水孔３１ａ…が形成されている。また、これら複数の排水孔３１ａ…は、前記上面部３１に対して格子状に並んで配置されている。
【００５０】
また、前記樋カバー材３０Ａ，３０Ｂ，３０Ｃ，３０Ｄと、前記樋材２０（２０Ａ，２０Ｂ）との間には、図１〜図３に示すように、排水用の溝部Ｇが、共通して形成されている。
つまり、前記溝部Ｇは、前記樋カバー材３０Ａ，３０Ｂ，３０Ｃ，３０Ｄが、前記樋材２０（２０Ａ，２０Ｂ）に取り付けられた状態において、前記樋材２０（２０Ａ，２０Ｂ）の上面部２５の前記他方の部位２５ｂと、前記樋カバー材３０Ａ，３０Ｂ，３０Ｃ，３０Ｄの上面部３１の外部側端部との間に形成されている。
また、該溝部Ｇは、前記樋材２０（２０Ａ，２０Ｂ）および前記樋カバー材３０Ａ，３０Ｂ，３０Ｃ，３０Ｄの延在方向に沿って形成されている。
なお、前記被固定部２５ｅは、図１〜図３，図６に示すように、前記他方の部位２５ｂの上部開口部２５ｃ側縁部よりも、前記上部開口部２５ｃ側に突出した状態となっている。このため、前記樋材２０（２０Ａ，２０Ｂ）の上面部２５の前記他方の部位２５ｂと、前記樋カバー材３０Ａ，３０Ｂ，３０Ｃ，３０Ｄの上面部３１の外部側端部との間に前記溝部Ｇを形成できるようになっている。
【００５１】
前記樋カバー材３０Ａは、直線状に形成された前記上面部３１と、外部側固定部３２と、屋根側固定部３５とを備える。
前記外部側固定部３２は、前記上面部３１の外部側縁部に一体形成されるとともに、前記樋材２０の前記他方の被固定部２５ｅに固定されるものである。
また、前記外部側固定部３２は、前記上面部３１よりも下方に、かつ前記他方の被固定部２５ｅ側に折曲加工されており、前記上面部３１から鉛直下方に突出する鉛直面を含んで構成されている。
【００５２】
前記外部側固定部３２には、この外部側固定部３２の長さ方向に並んで複数の溝用排水孔３２ａ…が形成されている。したがって、前記溝部Ｇには、この溝部Ｇの長さ方向に沿って、前記複数の溝用排水孔３２ａ…が形成されたような状態となる。
そして、このような溝部Ｇによれば、前記複数の屋根材５…，６…上から前記樋材２０側に至る雨水の量が多く、前記樋カバー材３０Ａ上を流れるような場合であっても、雨水を、前記排水用の溝部Ｇに落とすことができる。さらに、前記溝部Ｇには、前記複数の溝用排水孔３２ａ…が形成された状態となるので、該溝部Ｇに落ちた雨水を、前記樋材２０（２０Ａ，２０Ｂ）の内部へと落とすことができる。
【００５３】
前記屋根側固定部３５は、前記上面部３１の屋根側縁部に一体形成されるものであり、立ち上がり部３５ａと、延出部３５ｂと、固定部３５ｃとを有する。
前記立ち上がり部３５ａは、前記上面部３１の屋根側縁部から鉛直上方に立ち上がるように形成されている。
前記延出部３５ｂは、前記立ち上がり部３５ａの上端部から前記屋根１側に延出するようにして形成されている。より詳細には、該延出部３５ｂの延出方向先端は、前記屋根材用桟材８の側面に到達した状態となっている。
前記固定部３５ｃは、前記屋根材用桟材８の側面にビス５０によって固定されている。
このような屋根側固定部３５によれば、雨水等によって前記屋根材用桟材８が濡れることを防ぐことができる。また、前記軒先側桟材１０と前記水切り部材９との間から雨水等が屋根１側に浸入することを防ぐことができる。
【００５４】
前記樋カバー材３０Ｂは、図２に示すように、直線状に形成された前記上面部３１と、外部側固定部３３と、屋根側固定部３４とを備える。
前記外部側固定部３３は、前記上面部３１の外部側縁部に一体形成されるとともに、前記樋材２０の前記他方の被固定部２５ｅに固定されるものである。
また、前記外部側固定部３３は、前記上面部３１よりも下方に、かつ前記他方の被固定部２５ｅ側に折曲加工されており、前記上面部３１から鉛直下方に突出する鉛直面を含んで構成されている。なお、この外部側固定部３３の鉛直面は、前記外部側固定部３２の鉛直面とは異なり、前記上面部３１に対する角度が９０度に設定されている。
また、本実施の形態の外部側固定部３３には、前記外部側固定部３２に形成された前記溝用排水孔３２ａが形成されていない。
【００５５】
また、前記樋カバー材３０Ｂの上面部３１の外部側端部と、前記樋材２０の上面部２５の前記他方の部位２５ｂとの間には、前記溝部Ｇが形成されている。
なお、前記外部側固定部３３には溝用排水孔３２ａが形成されないため、この樋カバー材３０Ｂの溝部Ｇは、前記屋根１の勾配方向に長尺な溝として形成されることになる。
【００５６】
前記屋根側固定部３４は、前記外部側固定部３３と対称的な構成とされており、前記上面部３１の屋根側縁部に一体形成されるとともに、前記樋材２０の前記一方の被固定部２５ｄに固定されている。
前記屋根側固定部３４は、前記上面部３１よりも下方に、かつ前記一方の被固定部２５ｄ側に折曲加工されており、前記上面部３１から鉛直下方に突出する鉛直面を含んで構成されている。
【００５７】
前記樋カバー材３０Ｃは、図７に示すように、平面視略Ｌ字状に形成された前記上面部３１と、上述したものと同様の構成の外部側固定部３２，３３と、上述したものと同様の構成の屋根側固定部３４，３５とを備える。
この樋カバー材３０Ｃは、前記出隅コーナー部において、前記屋根１の軒先側端部からケラバ側端部にかけて設けられるため、前記屋根１の軒先部２側に前記外部側固定部３２が形成され、前記屋根１のケラバ部３側に前記外部側固定部３３が形成されている。
さらに、前記屋根側固定部３４，３５も同様に、前記屋根１の軒先部２側に前記屋根側固定部３５が形成され、前記屋根１のケラバ部３側に前記屋根側固定部３４が形成されている。
【００５８】
前記樋カバー材３０Ｄは、図７に示すように、平面視略Ｌ字状に形成された前記上面部３１と、上述したものと同様の構成の外部側固定部３２，３３と、上述したものと同様の構成の屋根側固定部３４と、屋根側固定部３６とを備える。
この樋カバー材３０Ｄは、前記入隅コーナー部において、前記屋根１のケラバ側端部から軒先側端部にかけて設けられるため、前記屋根１のケラバ部３側に前記外部側固定部３３が形成され、前記屋根１の軒先部２側に前記外部側固定部３２が形成されている。
さらに、前記屋根側固定部３４も同様に、前記屋根１のケラバ部３側に前記屋根側固定部３４が形成されている。
【００５９】
前記屋根側固定部３６は、前記屋根１の軒先部２側に形成されている。
この屋根側固定部３６は、前記上面部３１の屋根側縁部に一体形成されるものであり、立ち上がり部３６ａと、延出部３６ｂと、固定部３６ｃとを有する。
前記立ち上がり部３６ａは、前記上面部３１の屋根側縁部から鉛直上方に立ち上がるように形成されている。
前記延出部３６ｂは、前記立ち上がり部３６ａの上端部から前記屋根１側に延出するようにして形成される。より詳細には、該延出部３６ｂの延出方向先端は、図示はしないが、前記屋根材用桟材８の側面に到達した状態となる。
前記固定部３６ｃは、前記屋根材用桟材８の側面にビス５０によって固定される。
このような屋根側固定部３６によれば、雨水等によって前記屋根材用桟材８が濡れることを防ぐことができる。
なお、本実施の形態の延出部３６ｂは、前記屋根側固定部３５の延出部３５ｂよりも、前記立ち上がり部３６ａから前記固定部３６ｃまでの長さが長く形成されている。つまり、前記樋材２０Ｂ（２０）から屋根材までの間隔が長い場合には、このように延出長さの長い延出部３６ｂを採用することが好ましい。これによって、前記樋材２０Ｂ（２０）から屋根材までの間隔が長い場合であっても、該屋根材の裏側から雨水が屋根１側に浸入することを防ぐことができる。
【００６０】
そして、本実施の形態の樋カバー材３０Ａ，３０Ｂ，３０Ｃ，３０Ｄは、図３に示すように、前記樋材２０（２０Ａ，２０Ｂ）の延在方向に沿って連続的に、かつ段差のない状態で設けられている。
つまり、前記上面部３１の構成は共通である。また、前記屋根１の軒先部２側においては、前記外部側固定部３２と、前記屋根側固定部３５または前記屋根側固定部３６とが採用される。また、前記屋根１のケラバ部３側においては、前記外部側固定部３３と、前記屋根側固定部３４とが採用される。換言すれば、前記樋カバー材３０Ａ，３０Ｂ，３０Ｃ，３０Ｄは、前記屋根１の外周端部に沿って連続的に設けられながら、各部位が共通化された構成となっている。さらに、前記樋材２０（２０Ａ，２０Ｂ）も前記屋根１の外周端部に沿って同一断面に形成されている。
このため、同一断面形状の樋材２０（２０Ａ，２０Ｂ）に対して、各部位が共通化された樋カバー材３０，３０Ｂ，３０Ｃ，３０Ｄが設けられるので、各樋カバー材３０Ａ，３０Ｂ，３０Ｃ，３０Ｄ間に、段差が生じにくくなる。
【００６１】
なお、前記屋根１のコーナー部に設けられる前記樋カバー材３０Ｃ，３０Ｄは、上述のように平面視略Ｌ字状に形成されている。
このように前記樋カバー材３０Ｃ，３０Ｄを平面視略Ｌ字状に形成する場合は、製造の段階で平面視略Ｌ字状に加工しても良いし、直線状のものを平面視略Ｌ字状に形成しても良いものとする。
【００６２】
＜鼻隠し部材の構成＞
前記鼻隠し部材４０は、図１および図２に示すように、前記軒先部２側に設けられるものを鼻隠し部材４０Ａと称し、前記ケラバ部３側に設けられるものを鼻隠し部材４０Ｂと称する。
すなわち、前記鼻隠し部材４０Ａは、前記軒先側端面４ａの長さ方向に沿って長尺に形成されている。また、前記鼻隠し部材４０Ｂは、前記ケラバ側端面４ｂの長さ方向に沿って長尺に形成されており、前記屋根１の勾配方向に応じ、傾斜して配置されている。
【００６３】
前記鼻隠し部材４０Ａは、図１に示すように、前記一対の調整材１ｄ，１ｄ間に挟み込まれて固定される固定部４１Ａと、複数の通気孔４３Ａａ…が長さ方向に並んで形成される正面部４３Ａと、前記樋材２０（２０Ａ，２０Ｂ）の前記第一底面部２３ａの延長線上に配置される底面部４４Ａと、前記垂木としての前記框材１ａまたは前記桟材１ｂの下面に釘５１等で固定される背面部４５Ａとを備える。
【００６４】
なお、前記鼻隠し部材４０Ａと前記樋材２０（２０Ａ，２０Ｂ）との間には、前記鼻隠し部材４０Ａの長さ方向に沿って長尺なスリットＥが形成されている。
前記複数の通気孔４３Ａａは、前記スリットＥに向かって開口した状態となっている。
【００６５】
前記鼻隠し部材４０Ｂは、図２に示すように、前記垂木としての前記框材１ａにビス５０等で固定される固定部４１Ｂと、複数の通気孔４３Ｂａ…が長さ方向に並んで形成される正面部４３Ｂと、前記樋材２０（２０Ａ，２０Ｂ）の前記第一底面部２３ａの延長線上に配置される底面部４４Ｂと、前記桁材としての前記桟材１ｂの下面にビス５０等で固定される背面部４５Ｂとを備える。
【００６６】
なお、前記鼻隠し部材４０Ｂと前記樋材２０（２０Ａ，２０Ｂ）との間には、前記鼻隠し部材４０Ｂの長さ方向に沿って長尺な前記スリットＥが形成されている。
前記複数の通気孔４３Ｂａは、前記スリットＥに向かって開口した状態となっている。
さらに、前記鼻隠し部材４０Ｂの前記背面部４５Ｂは、前記外壁１５近傍に配置されており、前記背面部４５Ｂと前記外壁１５との間には、前記鼻隠し部材４０Ｂの長さ方向に沿って長尺なスリットＦが形成されている。より詳細には、前記外壁１５の表面には、胴縁１６ａを介して外壁材１６が取り付けられており、前記スリットＦは、該外壁材１６と前記背面部４５Ｂとの間に形成されている。
【００６７】
また、前記軒先側端面４ａの鼻隠し部材４０Ａと前記ケラバ側端面４ｂの鼻隠し部材４０Ｂは、前記外周端面４のコーナー部において、互いの接合側端部が、平面視において同一角度Ｂで斜めカットされて接合されている。また、これら鼻隠し部材４０Ａ，４０Ｂ同士の接合部４６には、稜線４６ａが現れる。
そして、前記樋材２０，２０同士の接合部２６に現れる稜線２６ａと、前記鼻隠し部材４０Ａ，４０Ｂ同士の接合部４６に現れる稜線４６ａとが、図４に示すように、前記コーナー部において一直線上に配置されている。
【００６８】
＜屋根材と樋カバー材との関係＞
前記複数の屋根材５…，６…のうち、前記屋根１の外周端部に沿って並設される複数の屋根材５…，６…は、上述のように、これら複数の屋根材５…，６…の樋材側端部が、前記樋カバー材３０（３０Ａ，３０Ｂ，３０Ｃ，３０Ｄ）の屋根側端部の直上位置に張り出すようにして設けられている。
したがって、前記複数の屋根材５…，６…上からの雨水を、前記樋カバー材３０（３０Ａ，３０Ｂ，３０Ｃ，３０Ｄ）の上面に確実に落とせるようになっている。
【００６９】
特に、前記複数の屋根材５…，６…のうち、前記屋根１のケラバ側端部に沿って並設される前記複数の屋根材５…の前記側壁部５ｂは、その下端部が、前記樋カバー材３０（３０Ｂ，３０Ｃ，３０Ｄ）の屋根側端部の上面に近接配置されている。
なお、このように前記側壁部５ｂの下端部を、前記樋カバー材３０（３０Ｂ，３０Ｃ，３０Ｄ）の屋根側端部の上面に近接配置させる場合には、前記複数の屋根材５…は、スレート等のように薄型の屋根材は用いられないものとする。すなわち、例えば粘土や陶器等の瓦、金属製の屋根材のように、所望する形状に加工することが可能な材質の屋根材が採用される。
また、前記樋カバー材３０Ａは、前記ケラバ部３に設けられるものではないため、前記側壁部５ｂは備えない構成とされている。
【００７０】
なお、本実施の形態において各種部材の固定用に用いられたビス５０や釘５１等の止着材は、各種部材を固定する際に、必要に応じて複数本用いられるとともに、適切な位置に設けられることは言うまでもない。
【００７１】
本実施の形態によれば、前記屋根１の外周端部に沿って並設される複数の屋根材５…，６…上を流れる雨水を、前記軒先部２側の樋材２０および前記ケラバ部３側の樋材２０の双方に落とすことができる。
また、前記樋カバー材３０Ａ，３０Ｂ，３０Ｃ，３０Ｄは、前記樋材２０，２０Ａ，２０Ｂの延在方向に沿って連続的に、かつ段差なく設けられているので、落ち葉等が前記樋カバー材３０Ａ，３０Ｂ，３０Ｃ，３０Ｄ上を風に乗って移動しやすく、前記樋カバー材３０Ａ，３０Ｂ，３０Ｃ，３０Ｄ上における落ち葉等の堆積を抑制できる。
さらに、前記複数の屋根材５…，６…の樋材側端部が、前記樋カバー材３０Ａ，３０Ｂ，３０Ｃ，３０Ｄの屋根側端部の直上位置に張り出すようにして設けられているので、前記複数の屋根材５…，６…上からの雨水を、前記樋カバー材３０Ａ，３０Ｂ，３０Ｃ，３０Ｄの上面に確実に落とすことができる。
これによって、前記樋材２０，２０Ａ，２０Ｂによる雨水の集水性能が損なわれることを防ぐことが可能となる。
【００７２】
また、前記コーナー部に設けられる前記樋カバー材３０Ｃ，３０Ｄは、前記コーナー用樋材２０Ａ，２０Ｂの上面に、該コーナー用樋材２０Ａ，２０Ｂに沿って連続的に、かつ段差のない状態で設けられているので、落ち葉等が前記樋カバー材３０Ｃ，３０Ｄ上を風に乗って移動しやすく、特に前記コーナー部の前記樋カバー材３０Ｃ，３０Ｄ上における落ち葉等の堆積を抑制できる。
【００７３】
また、前記側壁部５ｂの下端部は、前記樋カバー材３０Ｂ，３０Ｃ，３０Ｄの屋根側端部の上面に近接配置されているので、前記複数の屋根材５…の上面部５ａを流れる雨水を、前記側壁部５ｂを伝わせて、前記樋カバー材３０Ｂ，３０Ｃ，３０Ｄの上面へと確実に落とすことができる。
【００７４】
また、前記樋カバー材３０Ａ，３０Ｂ，３０Ｃ，３０Ｄは、前記樋材２０，２０Ａ，２０Ｂの上面部２５と同一直線上に配置される上面部３１を備えるので、前記樋材２０，２０Ａ，２０Ｂから前記樋カバー材３０Ａ，３０Ｂ，３０Ｃ，３０Ｄにかけて比較的平たんな状態となり、前記上面部２５および前記上面部３１上における落ち葉等の堆積を抑制できる。
【００７５】
また、前記複数の屋根材５…，６…上から前記樋材２０，２０Ａ，２０Ｂ側に至る雨水の量が多く、前記樋カバー材３０Ａ，３０Ｂ，３０Ｃ，３０Ｄ上を流れるような場合であっても、雨水を、前記排水用の溝部Ｇに落とすことができるので、前記樋材２０，２０Ａ，２０Ｂの集水性能を向上できる。
また、前記ケラバ部３側の溝部Ｇは、前記屋根１の勾配に沿って直線状に形成されることになるので、落ち葉等の堆積をさらに抑制できる。
また、前記溝部Ｇが形成される箇所は、前記樋材２０，２０Ａ，２０Ｂのうち最も外側に位置する部分に該当するため、該溝部Ｇに万が一落ち葉等が堆積したとしても、前記樋材２０，２０Ａ，２０Ｂの集水性能が損なわれにくい。
【符号の説明】
【００７６】
１  屋根
１ａ  框材
１ｂ  桟材
１ｃ  面材
１ｄ  調整材
１ｅ  鉛直面
１ｆ  被取付面
２  軒先部
３  ケラバ部
４  外周端面
４ａ  軒先側端面
４ｂ  ケラバ側端面
５  屋根材
６  屋根材
１５  外壁
２０  樋材
２０Ａ  コーナー用樋材
２０Ｂ  コーナー用樋材
２１  屋根側面部
２２  外部側面部
２３  底面部
２３ａ  第一底面部
２３ｂ  第二底面部
２４  延出部
２５  上面部
２５ａ  部位
２５ｂ  部位
２５ｃ  上部開口部
３０  樋カバー材
３０Ａ  樋カバー材
３０Ｂ  樋カバー材
３０Ｃ  樋カバー材
３０Ｄ  樋カバー材
３１  上面部
３１ａ  排水孔
３２  外部側固定部
３３  外部側固定部
３４  屋根側固定部
３５  屋根側固定部
３６  屋根側固定部
４０  鼻隠し部材
Ａ  角度
Ｂ  角度
Ｃ  角度
Ｄ  角度
Ｇ  溝部
【図１】
2014015721.tif 000003
【図２】
2014015721.tif 000004
【図３】
2014015721.tif 000005
【図４】
2014015721.tif 000006
【図５】
2014015721.tif 000007
【図６】
2014015721.tif 000008
【図７】
2014015721.tif 000009